(57)【特許請求の範囲】
【請求項１】
複数色からなるカラー画像である第１の画像の一部領域に第２の画像を重ねてプリントする画像処理装置であって、上記第１の画像を構成する各画素のプリント時における輝度レベルを上記第２の画像との差を付与する方向に所定の変化率で変更するべく、入力される画素データのレベルに対して変更後のレベルを関連づけて出力可能に記憶するレベル変更手段と、第１の画像のうち上記一部領域に含まれる画素データのみ上記レベル変更手段を経由させてレベル変更を行わせる画像処理手段と、画像処理手段により処理された各画素データを受けてプリント出力を行う第１プリント部と、第２の画像を構成する画素データを受けてプリント出力を行う第２プリント部とを備え、
前記画像処理手段は、前記第１の画像のＲ、Ｇ、Ｂの各画像データのうちの輝度レベルを変化させる色の画像データを指定する色指定情報を記憶する色指定情報記憶部と、前記一部領域を指定する領域指定情報を記憶する領域指定情報記憶部と、輝度レベルの前記変化率を指定する変化率指定情報を記憶する変化率指定情報記憶部と、を備え、
前記レベル変更手段は、前記色指定情報、前記領域指定情報、および前記変化率指定情報に基づき、前記一部領域の前記指定された色の画像データの輝度レベルを前記変化率で変化させることを特徴とする画像処理装置。
【請求項２】
レベル変更手段はテーブルメモリであることを特徴とする請求項１記載の画像処理装置。
【請求項３】
テーブルメモリはＳＲＡＭであることを特徴とする請求項２記載の画像処理装置。
【請求項４】
第２の画像は文字データからなる画像であることを特徴とする請求項１〜３のいずれかに記載の画像処理装置。
【請求項５】
文字データは撮影日付である請求項４記載の画像処理装置。
【発明の詳細な説明】
【０００１】
【発明の属する技術分野】
本発明は、プリント画像の一部領域に半透明バックを形成する画像処理技術に関するものである。
【０００２】
【従来の技術】
従来、写真の一部領域に撮影日付等の文字情報を重ねて印字する写真処理装置が知られている。写真画像に重ねて文字等が印字されると、文字の認識が困難となることから、従来は、写真画像を構成するＲ，Ｇ，Ｂの各画素データを画素単位でカラーデータ（Ｃ）及び輝度データ（Ｙ）に変換し、さらに文字を重ねる領域の画素に対応する輝度データを低下させる（感光材料から見ると濃度を淡くする）ように変更した後、変更された輝度データと上記カラーデータとから逆変換を施してＲ，Ｇ，Ｂの画素データに戻し、この戻された各色の画素データで重ね領域の濃度を淡くするいわゆる半透明バックを形成する画像処理を行っていた。そして、この半透明バック領域に文字を印字することで、印字文字の読みやすさを確保するようにしていた。
【０００３】
【発明が解決しようとする課題】
従来の装置では、Ｒ，Ｇ，Ｂの各画素データをカラーデータ及び輝度データに変換するデータ処理回路、及び変更後の輝度データと上記カラーデータとをＲ，Ｇ，Ｂの各画素データに逆変換するためのデータ処理回路が必要となるため、装置が複雑化し、高価なものとなる。しかも、上記変換、逆変換に要する処理時間が長くなることから画像処理の迅速化も阻害されていた。
【０００４】
本発明はかかる事情に鑑みてなされたものであり、簡単な構成でありながら迅速な画像処理を実現することのできる画像処理装置を提供することを目的とするものである。
【０００５】
【課題を解決するための手段】
請求項１記載の発明は、複数色からなるカラー画像である第１の画像の一部領域に第２の画像を重ねてプリントする画像処理装置であって、上記第１の画像を構成する各画素のプリント時における輝度レベルを上記第２の画像との差を付与する方向に所定の変化率で変更するべく、入力される画素データのレベルに対して変更後のレベルを関連づけて出力可能に記憶するレベル変更手段と、第１の画像のうち上記一部領域に含まれる画素データのみ上記レベル変更手段を経由させてレベル変更を行わせる画像処理手段と、画像処理手段により処理された各画素データを受けてプリント出力を行う第１プリント部と、第２の画像を構成する画素データを受けてプリント出力を行う第２プリント部とを備え、前記画像処理手段は、前記第１の画像のＲ、Ｇ、Ｂの各画像データのうちの輝度レベルを変化させる色の画像データを指定する色指定情報を記憶する色指定情報記憶部と、前記一部領域を指定する領域指定情報を記憶する領域指定情報記憶部と、輝度レベルの前記変化率を指定する変化率指定情報を記憶する変化率指定情報記憶部と、を備え、前記レベル変更手段は、前記色指定情報、前記領域指定情報、および前記変化率指定情報に基づき、前記一部領域の前記指定された色の画像データの輝度レベルを前記変化率で変化させることを特徴とするものである。
【０００６】
この構成によれば、前記画像処理手段は、色指定情報記憶部と、前領域指定情報記憶部と、変化率指定情報記憶部と、を備え、前記色指定情報記憶部は、前記第１の画像のＲ、Ｇ、Ｂの各画像データのうちの輝度レベルを変化させる色の画像データを指定する色指定情報を記憶し、前記領域指定情報記憶部は、前記一部領域を指定する領域指定情報を記憶し、前記変化率指定情報記憶部は、輝度レベルの前記変化率を指定する変化率指定情報を記憶する。複数色からなるカラー画像である第１の画像の一部領域に第２の画像を重ねてプリントする際には、上記第１の画像を構成する各画素のプリント時における輝度レベルを上記第２の画像との差を付与する方向に前記変化率指定情報記憶部に記憶された変化率指定情報で指定される所定の変化率で変更するべく、入力される画素データのレベルに対して変更後のレベルが関連づけられて出力可能にレベル変更手段に記憶される。そして、第１の画像のうち領域指定情報記憶部に記憶された領域指定情報により指定される上記一部領域に含まれる画素データのみ、かつ、第１の画像のＲ、Ｇ、Ｂの各画像データのうち色指定情報記憶部に記憶された色指定情報で指定される輝度レベルを変化させる色の画像データのみが上記レベル変更手段を経由させてレベル変更が画像処理手段により行われる。そして、画像処理手段により処理された各画素データを受けてプリント出力が第１プリント部により行われ、第２の画像を構成する画素データを受けてプリント出力が第２プリント部により行われるので、半透明バックの生成時に上記従来例のような変換、逆変換が不要となり、装置構成が簡単化されるとともに、画像の処理時間が短縮化される。
【０００７】
また、レベル変更手段は、入力される画素データの輝度レベルを前記変化率指定情報記憶部に記憶された変化率指定情報で指定される所定の変化率で変更するものであるから、輝度レベルが任意に設定される。
【０００８】
請求項２記載の発明のように、レベル変更手段はテーブルメモリであることとすれば、装置構成がより簡単化されるとともに、画像の処理時間がより短縮化される。
【０００９】
請求項３記載の発明のように、テーブルメモリはＳＲＡＭであることとすれば、装置構成がさらに簡単化されるとともに、画像の処理時間がさらに短縮化される。
【００１０】
請求項４記載の発明のように、第２の画像は文字データからなる画像であることとすれば、半透明バックにその文字データが書き込まれる。
【００１１】
請求項５記載の発明のように、文字データは撮影日付であることとすれば、半透明バックに撮影日付が書き込まれる。
【００１２】
【発明の実施の形態】
図１は、本発明の一実施形態に係る画像処理装置が適用された写真処理装置の概略構成を示す図である。この図において、写真処理装置は、撮影済みフィルム（ネガフィルムあるいはポジフィルム等）Ｆの各コマのカラー画像をＢ，Ｇ，Ｒの各色毎に撮像するスキャナ１０と、スキャナ１０で撮像されたカラー画像を構成する各画素データ（第１の画像）として取り込む画像情報取込部２０と、画像情報取込部２０の各色毎の画像データに対応した色光に変換し、この各色光によりリールＲに巻かれている印画紙Ｐを繰出して露光する露光部３０と、露光部３０で露光された印画紙Ｐを現像する現像処理部４０と、現像された印画紙（感光材）Ｐを所定単位毎にカットするカット部５０と、システム全体の動作を制御するシステムコントローラ６０とから構成されている。なお、システムコントローラ６０には、ユーザによる各種操作を行うためのキーボード、マウス等からなる入力部７０とＣＲＴモニタ等からなる出力部８０とが接続されている。
【００１３】
スキャナ１０は、現像済みの長尺状のネガフィルムＦの各コマを露光位置に順に搬送するフィルム搬送部１１と、フィルムＦを上面から均一輝度で照明しフィルムＦを透過した光像を受光する撮像部１４とを備えている。
【００１４】
フィルム搬送部１１は、巻取ローラ１１１と、巻取ローラ１１１を回転駆動する駆動モータ１１２と、駆動モータ１１２の駆動を制御するフィルム搬送制御部１１３とを備えており、フィルム搬送制御部１１３からの制御信号に基づき駆動モータ１１２を回転させ、巻取ローラ１１１によりフィルムＦをコマ寸法分づつ間欠的に露光位置に移送する。
【００１５】
撮像部１４は、フィルムＦの上部に配設されたランプ１４１と、ランプ１４１の発光量を制御するランプ制御部１４２と、ランプ１４１とフィルムＦを挟んだ対向位置に配置された光電変換素子列（例えばＣＣＤ素子からなるラインセンサあるいはエリアセンサ）から構成された撮像手段１４３と、撮像手段１４３の動作を制御する撮像制御部１４４とを備えており、フィルム搬送部１１により搬送されてきたフィルムＦの画像を１コマづつ撮像する。
【００１６】
画像情報取込部２０は、撮像部１４で撮像されたカラー画像をＢ，Ｇ， Ｒの各色毎に構成する画素データとして取り込み、その画像データを記憶するＢ，Ｇ，Ｒの３色分の画像メモリを有する画像データ記憶部２１と、露光部３０で露光すべき画像の１ライン分のＢ，Ｇ，Ｒの各画像データを画像データ記憶部２１から読み出してＢ，Ｇ，Ｒ毎に一時記憶するラインバッファ２２，２３，２４とを備えている。画像情報取込部２０は、スキャナ１０に備えた図略の磁気記録部等でフィルムＦから読み取った各コマ毎の撮影日付、撮影者名、撮影場所、説明文等の画像を文字データ（第２の画像）として取り込むようにすることも可能である。
【００１７】
露光部３０は、ラインバッファ２２，２３，２４から読み出されたＢ，Ｇ，Ｒの各画像データを対応する色光に変換して印画紙Ｐ上に出力することにより印画紙Ｐを露光する露光ヘッド部３１と、印画紙Ｐを露光ヘッド部３１の配設された位置に搬送する印画紙搬送部３２と、露光ヘッド部３１の駆動を制御する露光ヘッド制御部３３と、ラインバッファ２２，２３，２４から送出されてきたＢ，Ｇ，Ｒの各画像データに基づき印画紙搬送部３２の後述する印画紙搬送制御部３２４及び後述するスーパーインポーズ回路（画像処理手段）３３１、輝度レベル変更テーブル（レベル変更手段）３３２、セレクタ（第１、第２プリント部）３３３、コントローラ３３４、ＣＰＵ３３５、画像データ出力制御回路３３７及び色フィルタ制御回路３３６を同期制御する露光制御部３４とを備えている。
【００１８】
図２は、露光ヘッド部３１の構成を詳細に示す図である。同図に示すように、露光ヘッド部３１のヘッド部３１１は、印画紙Ｐの幅方向（矢印で示す搬送方向と直交する方向）に沿って配設された露光ヘッドであるＰＬＺＴ素子からなるシャッタアレイ３１１ａと、シャッタアレイ３１１ａに色光を供給するためのハロゲンランプからなる白色光源３１１ｂと、シャッタアレイ３１１ａと白色光源３１１ｂとの間に配設され、周方向に沿ってＢ，Ｇ，Ｒの３色の色領域に分割された円板状の色フィルタ３１１ｃと、白色光源３１１ｂの光を色フィルタ３１１ｃに導くミラートンネル３１１ｄと、白色光源３１１ｂの光が色フィルタ３１１ｃを透過することにより分解された複数の色光をシャッタアレイ３１１ａに送出する光ファイバ束３１１ｅとから構成されている。
【００１９】
色フィルタ３１１ｃは、駆動モータ３３１ａにより周方向に沿って一定速度で回転するようになっている。すなわち、上記色フィルタ制御回路３３７は、露光制御部３４から送出される識別信号を受けて駆動モータ３３１ａの回転を制御し、色フィルタ３１１ｃの各色領域とＢ，Ｇ，Ｒの各画像データとが対応するように色フィルタ３１１ｃの回転駆動を制御する。なお、上記の白色光源３１１ｂと色フィルタ３１１ｃとは、シャッタアレイ３１１ａに複数の色光を供給する光源を構成する。
【００２０】
印画紙搬送部３２は、露光ヘッド部３１の上流側と下流側とに配設された第１搬送ローラ対３２１及び第２搬送ローラ対３２２と、第１及び第２搬送ローラ対３２１，３２２を回転駆動する駆動モータ３２３と、駆動モータ３２３の駆動を制御する印画紙搬送制御部３２４とを備えており、印画紙搬送制御部３２４の制御信号に基づき駆動モータ３２３を回転させてラインバッファ２２，２３，２４から読み出される１ライン分のＢ，Ｇ，Ｒの各画像データの露光時間に対応して印画紙Ｐを１ピッチ分づつ下流側に搬送するものである。
【００２１】
露光制御部３４は、ラインバッファ２２，２３，２４から送出されてきたＢ，Ｇ，Ｒの各画像データを読み出すと共に、印画紙搬送部３２の印画紙搬送制御部３２４と、露光ヘッド制御部３３のスーパーインポーズ回路３３１、輝度レベル変更テーブル３３２、セレクタ３３３、コントローラ３３４、ＣＰＵ３３５、画像データ出力制御回路３３７及び色フィルタ制御回路３３６を制御し、印画紙Ｐに絵柄等の画像が正確に露光されるようにするものである。
【００２２】
図３は、露光ヘッド制御部３３の詳細構成を示す。同図に示すように、スーパーインポーズ回路３３１は、画像データの重ね合わせを行うもので、Ｂ，Ｇ，Ｒの各画像データのうちの輝度レベルを変化させる色の画像データを指定する色指定情報を記憶する色指定情報記憶部３１１ａと、輝度レベルを変化させる領域（一部領域）を指定する領域指定情報を記憶する領域指定情報記憶部３１１ｂと、輝度レベルの変化率を指定する変化率指定情報を記憶する変化率指定情報記憶部３１１ｃと、文字データを記憶する文字データ記憶部３１１ｄとを備えている。これらの情報は、ユーザが上記入力部７０から入力したものを各記憶部３１１ａ〜３１１ｄに予め記憶しておくか、あるいは、その都度入力することとしてもよい。ただし、文字データについては、上述したように、スキャナ１０から取り込むこととしてもよい。
【００２３】
輝度レベル変更テーブル３３２Ｂ，Ｇ，Ｒは、例えばＳＲＡＭ（Static Random Access Memory）で構成されたテーブルメモリであって、色指定情報に基づき当該色の画像データの一部の輝度レベルを変化させるものである。ここで、輝度とは物体を一定方向から見たとき、その物体の観測方向に垂直な単位面積当たりの明るさをいい、物体の表面積をＡ、観測方向の光度をＩ、物体表面に立てた法線と観測方向との間の角度をθとすると、輝度Ｂは、次式で与えられる。
Ｂ＝（１／cosθ）・（ｄＩ／ｄＡ）
【００２４】
ＳＲＡＭでは、スーパーインポーズ回路３３１からの制御信号により例えば読み書きのタイミングとアドレスを制御して入力値と出力値との比率を変化させることができるので、この比率で輝度レベルを変化させることができる。また、変化率は０〜１００％の間で連続的あるいは不連続的に変化可能である。さらに、経験値を予め記憶させておいたＬＵＴを用いて変化させることとしてもよい。なお、上記色指定がＢ，Ｇ，Ｒの３色以外の場合には、その組み合わせで対処するが、そのためには複数の色の画像データについて同時に上記輝度の変化を行う。
【００２５】
セレクタ３３３Ｂ，Ｇ，Ｒは、例えばマルチプレクサで構成され、各色の画像データ、文字データ等を選択信号により合成して出力するものである。セレクタ３３３Ｂ，Ｇ，Ｒは、輝度レベルを変化させた一部の画像データを上記指定された領域内で切り出すとともに、残りの画像データを領域外で切り出して、これら切り出された両画像データを合成することにより、上記領域内に半透明バックを生成し（第１プリント部としての機能）、さらに、生成された半透明バックに文字を合成して画像データ出力制御回路３３７に送出する（第２プリント部としての機能）。
【００２６】
画像データ出力制御回路３３７は、セレクタ３３３Ｂ，Ｇ，Ｒからそれぞれ送出されてきたＢ，Ｇ，Ｒの画像データ毎に各ドットに対応する露光素子に所定レベルの駆動電圧を供給し、色フィルタ制御回路３３６は、図２の駆動モータ３３１ａを駆動して色フィルタ３１１ｃを回転させ、白色光源３１１ｂの光が、Ｂ色の画像データのときにはＢ色領域、Ｇ色の画像データのときにはＧ色領域、及びＲ色の画像データのときにはＲ色領域をそれぞれ透過して各色光に分解されるようにし、シャッタアレイ３１１ａは色フィルタ３１１ｃを透過して得られた各色光によって印画紙Ｐの幅方向における同一のライン位置を順に露光する。
【００２７】
コントローラ３３４は、ＣＰＵ３３５からの指令に従い、各回路を動作させるものであり、ＣＰＵ３３５は、入力部７０からの入力データに基づき半透明バックの要否を判断する半透明バック要否判断部３３５ａを備えている。すなわち、入力部７０は、システムコントローラ６０、露光制御部３４及びコントローラ３３４を介して、上記色指定、領域指定、輝度レベルの変化率の指定、文字データ入力、その他ユーザによる各種操作を行うものであり、出力部８０は、各操作の際に各種情報等の表示を行うものである。例えば、ＣＰＵ３３５の半透明バック要否判断部３３５ａからの指令情報により、コントローラ３３４、露光制御部３４及びシステムコントローラ６０を介して表示部８０が制御され、その画面上で半透明バック処理の要否を問う表示がなされ、入力部７０でＹ／Ｎを入力するとその入力データがシステムコントローラ６０、露光制御部３４及びコントローラ３３４を介してＣＰＵ３３５の半透明バック要否判断部３３５ａに伝送される。
【００２８】
再び図１に戻って説明を続けると、現像処理部４０は、現像液の充填された液槽４１を備えており、露光ヘッド部３１で露光された印画紙Ｐが液槽４１の下流側に配設された図略の露光済印画紙搬送部により搬送されて液槽４１内の現像液に浸漬されることにより、印画紙Ｐの露光により形成された潜像が顕在化される。
【００２９】
カット部５０は、現像処理部４０で現像され、その後に乾燥された印画紙Ｐを幅方向にカットするカッタ５１から構成されており、カッタ５１の上流側に配設された図略の現像済印画紙搬送部によりカット部５０に搬送された長尺状の印画紙Ｐを所定単位に分割する。
【００３０】
カッタ５１は、印画紙Ｐの上下に配設された楔形状の上切断刃５１１と下切断刃５１２とから構成されている。この上切断刃５１１と下切断刃５１２とは、印画紙Ｐが切断位置にきていないときには印画紙Ｐ面から離間する位置に移動しており、印画紙Ｐが切断位置にきたときに上切断刃５１１と下切断刃５１２が印画紙Ｐ面側に移動して印画紙Ｐを挟み込むことにより幅方向にカットする。このカッタ５１は、上切断刃５１１と下切断刃５１２を上下に駆動する駆動モータ５１３と、駆動モータ５１３の駆動を制御するカッタ制御部５１４とを備えている。
【００３１】
システムコントローラ６０は、図略のＣＰＵや制御用のプログラムを記憶したＲＯＭ等を備えており、ＲＯＭに記憶された制御プログラムに基づき各制御部に指令を与えて各制御部及び各回路の動作を集中制御する。
【００３２】
図４は印画紙に半透明バックを形成した状態を示す図である。図４では、半透明バックＴは、印画紙Ｐの右下部に設定され、例えば撮影日付である「Ｈ１２．５．８」が書き込まれている。なお、半透明バックＴの大きさや方向や設定位置は予め設定されたものを用いてもよいが、上述したように入力部７０から任意に指定することもできる。
【００３３】
図５は本実施形態の動作を示すフローチャートである。本装置は以下のように動作する。まず、スキャナ１０でフィルムＦから画像データを取り込み（ステップＳ１）、引き続いて文字データを取り込む（ステップＳ２）。このうち画像データは画像情報取込部２０の画像データ記憶部２１に記憶され、文字データは、コントローラ３３４を介してスーパーインポーズ回路３３１の文字データ記憶部３３１ｄに記憶される。ついで、入力部７０からの入力データに基づきＣＰＵ３３５の半透明バック要否判断部３３５ａで半透明バック処理の有無が判断される（ステップＳ３）。そして、半透明バックを要すると判断された場合には、各記憶部３３１ａ〜３３１ｃからの各情報が読み出されることによって、領域指定がなされ（ステップＳ４）、色指定がなされ（ステップＳ５）、輝度レベルの変化率が指定される（ステップＳ６）。各指定が終了すると、上記画像データ記憶部２１からラインバッファ２２，２３，２４にそれぞれ転送された各色の画像データのうちの上記色指定がなされた画像データの輝度レベルが輝度レベル変更テーブル３３２Ｂ，Ｇ，Ｒにより上記指定された輝度レベルの変化率（例えば５０％）だけ変化させられる（ステップＳ７）。その後、セレクタ３３３Ｂ，Ｇ，Ｒにより輝度レベルが変化させられた画像データが上記指定された領域内で切り出されるとともに、輝度レベルが変化させられていない残りの画像データが上記指定された領域外で切り出される（ステップＳ８）。セレクタ３３３Ｂ，Ｇ，Ｒによりこれら切り出された両画像データが合成され（ステップＳ９）、文字データがさらに合成される（ステップＳ１０）。そして、画像データ出力制御回路３３７から出力された各画像データで印画紙が露光等される（ステップＳ１１）。一方、上記ステップＳ３において、ＣＰＵ３３５の半透明バック要否判断部３３５ａで半透明バックは不要であると判断された場合には、ステップＳ４〜Ｓ１０がスキップされて、半透明バック処理がなされなかった画像データで印画紙が露光等される。
【００３４】
以上のようにして、画像の一部領域に文字を重ねてプリントする際に、上記画像を構成する各画素のプリント時における濃度レベルを上記文字との差を付与する方向に変更するべく、入力される画素データのレベルに対して変更後のレベルが関連づけられて出力可能に輝度レベル変更テーブル３３２Ｂ，Ｇ，Ｒに記憶され、上記画像のうち上記一部領域に含まれる画素データのみ上記輝度レベル変更テーブル３３２Ｂ，Ｇ，Ｒを経由させてレベル変更がスーパーインポーズ回路３３１により行われ、スーパーインポーズ回路３３１により処理された各画素データを受けてプリント出力がセレクタ３３３Ｂ，Ｇ，Ｒにより行われ、文字を構成する画素データを受けてプリント出力がセレクタ３３３Ｂ，Ｇ，Ｒにより行われるので、バックデータの生成時に上記従来例のような変換、逆変換が不要となり、装置構成が簡単化されるのでコストダウンが図れるとともに、画像の処理時間が短縮化されるので、写真処理装置の高性能化が図れる。
【００３５】
なお、上記実施形態では、レベル変化手段としてテーブルメモリである輝度レベル変更テーブル３３２Ｂ，Ｇ，Ｒ、例えばＳＲＡＭを使用したが、ＤＲＡＭを使用することとしてもよい。また上記実施形態では、セレクタ３３３Ｂ，Ｇ，Ｒとして、マルチプレクサを使用したが、その他のスイッチ回路を使用してもよい。また上記実施形態では、露光ヘッド部３１としてＰＬＺＴ素子を使用したが、レーザ光源を使用してもよい。
【００３６】
また上記実施形態では、画像情報取込部２０の画像データ記憶部２１から画像データを読み出し、露光部３０で印画紙Ｐに露光するようにしているが、パソコン等の外部装置から画像データを直接取り込み、この画像データに基づき印画紙Ｐを露光してもよい。
【００３７】
また上記の実施形態では、画像処理装置としての画像情報取込部２０及び露光部３０を写真処理装置に適用したものを例示したが、プリンタその他画像形成装置に適用することも可能である。
【００３８】
【発明の効果】
以上、詳述したごとく、請求項１記載の発明によれば、半透明バックの生成時に上記従来例のような変換、逆変換が不要となり、装置構成を簡単化して、コストダウンを図ることができるとともに、画像の処理時間を短縮化して装置の高性能化をも図ることができる。
【００３９】
また、請求項１記載の発明によれば、輝度レベルを任意に設定できるので、便利である。
【００４０】
請求項２記載の発明によれば、装置構成をより簡単化して、さらなるコストダウンを図ることができるとともに、画像の処理時間をより短縮化して装置のさらなる高性能化をも図ることができる。
【００４１】
請求項３記載の発明によれば、装置構成をさらに簡単化して、さらなるコストダウンを図ることができるとともに、画像の処理時間をさらに短縮化して装置のさらなる高性能化をも図ることができる。
【００４２】
請求項４記載の発明によれば、半透明バックにその文字データを書き込むことができる。
【００４３】
請求項５記載の発明によれば、半透明バックに撮影日付を書き込むことができる。
【図面の簡単な説明】
【図１】  本発明の一実施形態に係る画像処理装置が適用された写真処理装置の概略構成を示す図である。
【図２】  露光ヘッド部の詳細構成を示す図である。
【図３】  露光ヘッド制御部の詳細構成を示す図である。
【図４】  印画紙への露光結果を示す図である。
【図５】  本装置の動作の一例を示すフローチャートである。
【符号の説明】
２０  画像情報取込部
２１  画像データ記憶部
２２，２３，２４  ラインバッファ
３０  露光部
３１  露光ヘッド部
３２  印画紙搬送部
３３  露光ヘッド制御部
３４  露光制御部
３３１  スーパーインポーズ回路（画像処理手段）
３３１ａ  色指定情報記憶部
３３１ｂ  領域指定情報記憶部
３３１ｃ  輝度レベル変化率情報記憶部
３３１ｄ  文字データ記憶部
３３２、３３２Ｂ，Ｇ，Ｒ  輝度レベル変更テーブル（レベル変更手段、テーブルメモリ）
３３３、３３３Ｂ，Ｇ，Ｒ  セレクタ（第１、第２プリント部）
３３４  コントローラ
３３５  ＣＰＵ
３３６  色フィルタ制御回路
３３７  画像データ出力制御回路
４０  現像処理部
５０  カット部
６０  システムコントローラ
７０  入力部
８０  表示部
【図１】
0004273632.tif 000002
【図２】
0004273632.tif 000003
【図３】
0004273632.tif 000004
【図４】
0004273632.tif 000005
【図５】
0004273632.tif 000006